【手続補正書】
【提出日】平成17年12月28日(2005.12.28)
【手続補正１】
【補正対象書類名】明細書
【補正対象項目名】特許請求の範囲
【補正方法】変更
【補正の内容】
【特許請求の範囲】
【請求項１】    フラットパネル型ディスプレイであって、
バックプレート構造体と、
前記バックプレート構造体と連結されてシールされた筐体を形成するフェースプレート構造体と、
前記バックプレート構造体と前記フェースプレート構造体の間に配置された、前記ディスプレイに働く外部の力に対する耐性を与えるためのスペーサとを有し、
前記バックプレート構造体は、
（ａ）バックプレートと、
（ｂ）１つの平面である電子放出サイト面に位置する複数の電子放出部位を有し、前記バックプレートの上に配置された電子放出構造体と、
（ｃ）前記電子放出サイト面に沿って延在する非平面の等電位面を有し、前記バックプレートの上に配置されたバックプレート側主要構造体であって、前記等電位面上の各点と前記放出サイト面との距離は第１の値と第２の値の間の長さである、該バックプレート側主要構造体とを有し、
前記バックプレート構造体は、前記電子放出サイト面から前記第１の値と第２の値の間の距離だけ離れた位置にあって前記電子放出サイト面と平行に延在する電気的末端面に位置する電気的末端部を有し、
前記スペーサは、前記電気的末端面に位置するバックプレート側の電気的末端部を有することを特徴とするディスプレイ。
【請求項２】    前記バックプレート側主要構造体に沿って延在するスペーサのない領域における電気的末端面に位置する導電性プレートと前記フェースプレート構造体との間のキャパシタンスが、前記スペーサのない領域における前記バックプレート構造体と前記フェースプレート構造体との間のキャパシタンスに等しいことを特徴とする請求項１に記載のディスプレイ。
【請求項３】    前記フェースプレート構造体が、
（ａ）フェースプレート平面に位置する内側表面を有するフェースプレートと、
（ｂ）前記内側表面に沿って前記フェースプレートの上に配置された発光構造体と、
（ｃ）前記内側表面に沿って前記フェースプレートの上に配置された、前記フェースプレート平面上方に位置する非平面の等電位面を有するフェースプレート側主要構造体であって、前記等電位面上の各点と前記フェースプレート面との距離は第３の値と第４の値の間の長さである、該フェースプレート側主要構造体とを有し、
前記フェースプレート構造体が、前記フェースプレート平面から上方に前記第３の値と第４の値の間の距離だけ離れた位置にあって前記フェースプレート平面に平行に延在するフェースプレート側電気的末端面に配置されたフェースプレート側電気的末端部を有し、
前記スペーサが、前記フェースプレート側電気的末端面に位置するフェースプレート側の電気的末端部を有することを特徴とする請求項１に記載のディスプレイ。
【請求項４】    フラットパネル型ディスプレイであって、
バックプレート構造体と、
前記バックプレート構造体と連結されてシールされた筐体を形成するフェースプレート構造体と、
前記バックプレート構造体と前記フェースプレート構造体の間に配置された、前記ディスプレイに働く外部の力に対する耐性を与えるためのスペーサとを有し、
前記バックプレート構造体は、
（ａ）バックプレートと、
（ｂ）１つの平面である電子放出サイト面に位置する複数の電子放出部位を有するバックプレートの上に配置された電子放出構造体と、
（ｃ）前記放出サイト平面に沿って延在する非平面の等電位面を有し、前記バックプレートの上に配置されたバックプレート側主要であって、前記等電位面上の各点と前記放出サイト面との距離は第１の値と第２の値の間の長さである、該バックプレート側主要構造体とを有し、
前記バックプレート構造体は、前記電子放出サイト面から前記第１の値と第２の値の間の距離だけ離れた位置にあって前記電子放出サイト面と平行に延在する電気的末端面に位置する電気的末端部を有し、
前記スペーサは、前記電気的末端面から離隔された位置において前記バックプレート側主要構造体に沿って位置するバックプレート側の電気的末端部を有し、
前記スペーサは、前記スペーサのバックプレート側の電気的末端部が前記電気的末端面から離隔された結果、前記電子放出構造体によって放出された電子が、前記フェースプレート構造体における標的領域の外側に衝当することを防止し、電子が前記標的領域に衝当するように前記スペーサに沿って存在する電位場を制御するための補償構造体を備えることを特徴とするディスプレイ。
【請求項５】    前記バックプレート側主要構造体に沿って延在するスペーサのない領域における電気的末端面に位置する導電性プレートと前記フェースプレート構造体との間のキャパシタンスが、前記スペーサのない領域における前記バックプレート構造体と前記フェースプレート構造体との間のキャパシタンスに等しいことを特徴とする請求項４に記載のディスプレイ。
【請求項６】    前記スペーサが、前記バックプレート側主要構造体と前記フェースプレート構造体との間に配置されることを特徴とする請求項４に記載のディスプレイ。
【請求項７】    前記スペーサのバックプレート側の電気的末端部が、前記バックプレート側電気的末端面よりフェースプレート側に位置することを特徴とする請求項６に記載のディスプレイ。
【請求項８】    前記補償構造体が、前記スペーサのバックプレート側の電気的末端部から離隔された位置にあることを特徴とする請求項７に記載のディスプレイ。
【請求項９】    前記スペーサが、
スペーサ主部と、
前記スペーサ主部に沿って配置され前記補償構造体の少なくとも一部を形成する表面電極とを含むことを特徴とする請求項８に記載のディスプレイ。
【請求項１０】    前記スペーサが、前記フェースプレート構造体に沿って位置するフェースプレート側の電気的末端部を有し、前記表面電極が前記スペーサのフェースプレート側の電気的末端部まで延在することを特徴とする請求項９に記載のディスプレイ。
【請求項１１】    前記スペーサが、前記フェースプレート構造体まで延在して前記表面電極に接触する前記スペーサ主部の縁部に沿って配置されたフェースプレート側の縁部電極を更に含むことを特徴とする請求項１０に記載のディスプレイ。
【請求項１２】    前記スペーサが、前記スペーサ主部のバックプレート側の縁部に沿って配置された、前記バックプレート側主要構造体まで延在するバックプレート側の縁部電極を更に含むことを特徴とする請求項１１に記載のディスプレイ。
【請求項１３】    前記スペーサが、前記フェースプレート構造体に沿って位置するフェースプレート側の電気的末端部を有し、前記表面電極が、前記スペーサの電気的末端部の各々から離隔されることを特徴とする請求項９に記載のディスプレイ。
【請求項１４】    前記スペーサが、
前記スペーサ主部の縁部に沿って配置された、前記バックプレート側主要構造体まで延在するバックプレート側の縁部電極と
前記スペーサ主部のフェースプレート側の縁部に沿って配置された、前記フェースプレート構造体まで延在するフェースプレート側の縁部電極とを更に含むことを特徴とする請求項１３に記載のディスプレイ。
【請求項１５】    前記フェースプレート構造体が、
（ａ）フェースプレート平面に位置する内側表面を有するフェースプレートと、
（ｂ）前記内側表面に沿って前記フェースプレートの上に配置された発光構造体と、
（ｃ）前記内側表面に沿って前記フェースプレートの上に配置された、前記フェースプレート平面上方に位置する非平面の等電位面を有するフェースプレート側主要構造体であって、記等電位面上の各点と前記フェースプレート面との距離は第３の値と第４の値の間の長さである、該フェースプレート側主要構造体とを有し、
前記フェースプレート構造体が、前記フェースプレート平面から上方に前記第３の値と第４の値の間の距離だけ離れた位置にあって前記フェースプレート平面に平行に延在するフェースプレート側電気的末端面に配置されたフェースプレート側電気的末端部を有し、
前記スペーサが、前記電子放出構造体によって放出された電子が前記標的領域に衝当するように前記補償構造体が前記スペーサに沿って存在する前記電位場の制御するのを補助するべく、前記フェースプレート側電気的末端面から離隔されたフェースプレート側の電気的末端部を有することを特徴とする請求項４に記載のディスプレイ。
【請求項１６】    前記スペーサのフェースプレート側の電気的末端部が、前記フェースプレート側電気的末端平面よりバックプレート側に位置することを特徴とする請求項１５に記載のディスプレイ。
【請求項１７】    フラットパネル型ディスプレイであって、
フェースプレート構造体と、
前記フェースプレート構造体と連結されてシールされた筐体を形成するバックプレート構造体と、
前記フェースプレート構造体と前記バックプレート構造体の間に配置された、前記ディスプレイに働く外部の力に対する耐性を与えるためのスペーサとを有し、
前記フェースプレート構造体は、
（ａ）フェースプレート平面に位置する内側表面を有するフェースプレートと、
（ｂ）前記内側表面に沿って前記フェースプレートの上に配置された発光構造体と、
（ｃ）前記内側表面に沿って前記フェースプレートの上に配置された、前記フェースプレート平面上方に位置する非平面の等電位面を有するフェースプレート側主要構造体であって、前記等電位面上の各点と前記フェースプレート平面との距離は、第１の値と第２の値の間の長さである、該フェースプレート側主要構造体とを有し、
前記フェースプレート構造体は、前記フェースプレート平面から上方に前記第１の値と第２の値の間の長さの距離だけ離れた位置にあって前記フェースプレート平面に平行に延在するフェースプレート側電気的末端面に配置されたフェースプレート側電気的末端部を有し、
前記スペーサが、前記フェースプレート側電気的末端面に位置するフェースプレート側の電気的末端部を有することを特徴とするディスプレイ。
【請求項１８】    前記フェースプレート側主要構造体に沿って延在するスペーサのない領域における電気的末端面に位置する導電性プレートと前記バックプレート構造体との間のキャパシタンスが、前記スペーサのない領域における前記バックプレート構造体と前記フェースプレート構造体との間のキャパシタンスに等しいことを特徴とする請求項１７に記載のディスプレイ。
【請求項１９】    フラットパネル型ディスプレイであって、
フェースプレート構造体と、
前記フェースプレート構造体と連結されてシールされた筐体を形成するバックプレート構造体と、
前記フェースプレート構造体と前記バックプレート構造体の間に配置された、前記ディスプレイに働く外部の力に対する耐性を与えるためのスペーサとを有し、
前記フェースプレート構造体は、
（ａ）フェースプレート平面に位置する内側表面を有するフェースプレートと、
（ｂ）前記内側表面に沿って前記フェースプレートの上に配置された発光構造体と、
（ｃ）前記内側表面に沿って前記フェースプレートの上に配置された、前記フェースプレート平面上方に位置する非平面の等電位面を有するフェースプレート側主要構造体であって、前記等電位面上の各点と前記フェースプレート平面との距離は、第１の値と第２の値の間の長さである、該フェースプレート側主要構造体とを有し、
前記フェースプレート構造体は、前記フェースプレート平面から上方に前記第１の値と第２の値の間の長さの距離だけ離れた位置にあって前記フェースプレート平面に平行に延在するフェースプレート側電気的末端面に配置されたフェースプレート側電気的末端部を有し、
前記スペーサは、前記フェースプレート構造体の電気的末端部よりも前記フェースプレート平面から更に離隔するように前記電気的末端面よりも前記バックプレート側に位置するフェースプレート側の電気的末端部を有し、
前記スペーサは、前記スペーサのフェースプレート側の電気的末端部が前記電気的末端面から離隔された結果、前記電子放出構造体によって放出された電子が、前記フェースプレート構造体における標的領域の外側に衝当することを防止し、電子が前記標的領域に衝当するように前記スペーサに沿って存在する電位場を制御するための補償構造体を備えることを特徴とするディスプレイ。
【請求項２０】    前記フェースプレート側主要構造体に沿って延在するスペーサのない領域における電気的末端面に位置する導電性プレートと前記バックプレート構造体との間のキャパシタンスが、前記スペーサのない領域における前記バックプレート構造体と前記フェースプレート構造体との間のキャパシタンスに等しいことを特徴とする請求項１９に記載のディスプレイ。
【請求項２１】    前記スペーサが、
スペーサ主部と、
前記補償構造体の少なくとも一部を形成して前記スペーサのフェースプレート側の電気的末端部まで延在する、前記スペーサ主部に沿って配置された表面電極とを含むことを特徴とする請求項１９に記載のディスプレイ。